【事件の表示】
　特許第３１１３２４３号「パターンピースの形状を規定する境界線の内部にプリントデザインを印刷するパターンピース作製方法及び装置」の請求項１ないし５に係る特許に対する特許異議の申立てについて、次のとおり決定する。
【結　論】
　訂正を認める。
　特許第３１１３２４３号の請求項１ないし５に係る特許を取り消す。
理　由
１．手続の経緯の概要
　本件特許第３１１３２４３号発明は、平成１１年４月１５日に特許出願（優先日平成１０年４月１５日）され、平成１２年９月２２日に設定登録（平成１２年１１月２７日特許公報発行）がなされ、その後、平成１３年５月２８日付けでレクトラ　ソシエテ　アノニムより特許異議の申立がなされ、取消理由の通知がなされ、その指定期間内である平成１４年６月１４日に意見書の提出とともに訂正請求がなされたものである。
　
２．訂正の適否
（１）訂正の内容
訂正事項ａ
特許請求の範囲の請求項１について、
「パターンピースの形状を規定する境界線の内部にプリントデザインを印刷するパターンピース作製方法であって、
　シート状の布地に、上記プリントデザインと所定形状の印刷パターンピースを印刷するための印刷装置を準備するステップと；
　上記印刷装置に接続して、該印刷装置に制御信号を発する制御器を準備するステップと；
　上記制御器に記憶される上記パターンピースのテンプレートからパターンピースデータベースを電子的に生成するステップと；
　上記パターンピースに印刷されるべきデザインの繰り返し模様部分の画像を生成し、上記制御器に記憶するステップと；
　複数の上記繰り返し模様部分の画像を連続模様となるように、上記パターンピース内に配置して裁断及び印刷マーカを生成するステップと；
　上記制御器から発せられる制御信号により、上記印刷装置を駆動して上記裁断及び印刷マーカを上記シート材に印刷するステップと；を有し、
　上記裁断及び印刷マーカを生成するステップは、
　上記パターンピースにより規定される上記境界線に対応する輪郭を生成するステップと；
　上記複数の繰り返し模様部分を、互いに隣接させて上記輪郭内に配置するステップと；
　上記複数の繰り返し模様部分において、上記輪郭の外側になる領域を定義するステップと；
　上記輪郭の外側になる領域を印刷不能にし、これにより、上記輪郭が上記隣接させた複数の繰り返し模様部分により形成されるように設定し、かつ前記輪郭の外周を上記印刷不能な領域として設定するステップと；
　上記パターンピースと上記印刷不能な領域とを記憶するステップと；を有することを特徴とするパターンピースの形状を規定する境界線の内部にプリントデザインを印刷するパターンピース作製方法。」
を、
「パターンピースの形状を規定する境界線の内部にプリントデザインを印刷するパターンピース作製方法であって、
　シート状の布地に、上記プリントデザインと所定形状の印刷パターンピースを印刷するための印刷装置を準備するステップと；
　上記印刷装置に接続して、該印刷装置に制御信号を発する制御器を準備するステップと；
　上記制御器に記憶される上記パターンピースのテンプレートからパターンピースデータベースを電子的に生成するステップと；
上記パターンピースに印刷されるべき複数の繰り返し模様部分の画像を生成し、上記制御器に記憶するステップと；
複数の上記繰り返し模様部分の画像を連続模様となるように、上記パターンピース内に配置して裁断及び印刷用のマーカを生成するステップと；
　上記制御器から発せられる制御信号により、上記印刷装置を駆動して上記裁断及び印刷マー力を上記シート材に印刷するステップと；
を有し、
　上記裁断及び印刷用のマーカを生成するステップは、
　上記パターンピースにより規定される上記境界線に対応する輪郭を生成するステップと；
集合させて繰り返し模様を形成可能なデザイン見本を、互いに隣接させて上記輪郭内に配置するステップと；
上記複数の繰り返し模様を構成するデザイン見本において、上記輪郭の外側になる領域を定義するステップと；
　上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定するステップと；
　上記パターンピースと上記印刷不能な領域とを記憶するステップと；
　を有することを特徴とするパターンピースの形状を規定する境界線の内部にプリントデザインを印刷するパターンピース作製方法。」と訂正する。
　
訂正事項ｂ
特許請求の範囲の請求項３について、
「パターンピースの形状を規定する境界線に関して所定の様式でプリントデザインを印刷するパターンピース作製装置において、
　布地に所定のプリントデザインを印刷するための印刷装置と；
　上記印刷装置を制御する制御器と；
　上記制御器に記憶される上記パターンピースのテンプレートからパターンピースデータベースを電子的に生成する手段と；
　上記プリントデザインを表す画像を上記制御器内で生成する手段と；
　裁断及び印刷マー力を生成すべく、複数の繰り返し模様からなる上記プリントデザインを表す画像と上記パターンピースデータベースを組み合わせる手段と；を設け、
　このプリントデザインを表す画像と上記パターンピースデータベースを組み合わせる手段は、
　上記パターンピースにより規定される上記境界線に対応する輪郭を生成する手段と；
　複数の繰り返し模様部分を、互いに隣接させて上記輪郭内に配置する手段と；
　上記複数の繰り返し模様部分において、上記輪郭の外側になる領域を定義する手段と；
　上記輪郭の外側になる領域を印刷不能にし、これにより、上記輪郭が上記隣接させた複数の繰り返し模様部分により形成されるように設定し、かつ前記輪郭の外周を上記印刷不能な領域として設定する手段と；
上記パターンピースと上記印刷不能な領域とを記憶する手段と；
を有し、上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。」
を、
「パターンピースの形状を規定する境界線に関して所定の様式でプリントデザインを印刷するパターンピース作製装置において、
　布地に所定のプリントデザインを印刷するための印刷装置と；
　上記印刷装置を制御する制御器と；
　上記制御器に記憶される上記パターンピースのテンプレートからパターンピースデータベースを電子的に生成する手段と；
　上記プリントデザインを表す画像を上記制御器内で生成する手段と；
　裁断及び印刷用マーカを生成すべく、複数の繰り返し模様からなる上記プリントデザインを表す画像と上記パターンピースデータベースを組み合わせる手段と；を設け、
　このプリントデザインを表す画像と上記パターンピースデー夕ベースを組み合わせる手段は、
　上記パターンピースにより規定される上記境界線に対応する輪郭を生成する手段と；
　集合させて繰り返し模様を形成可能なデザイン見本を、互いに隣接させて上記輪郭内に配置する手段と；
　上記複数の繰り返し模様を構成するデザイン見本において、上記輪郭の外側になる領域を定義する手段と；
　上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定する手段と；
　上記パターンピースと上記印刷不能な領域とを記憶する手段と；を有し、上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。」と訂正する。
　
（２）訂正の目的の適否、新規事項の有無、及び特許請求の範囲の拡張・変更の存否
訂正事項ａについて
　訂正事項ａは、明細書の段落［００１１］、［００１４］乃至［００１７］の記載を根拠に、「複数の繰り返し模様部分」を「集合させて繰り返し模様を形成可能なデザイン見本」と限定することにより、模様を決定する最小単位であるデザイン見本毎に印刷領域を設定する点を明確にし、「裁断及び印刷マーカ」を「裁断及び印刷用マー力」と訂正し、意味を明りょうにすることを目的とした訂正であるので、特許請求の範囲の減縮及び明りょうでない記載の釈明を目的とした訂正に該当する。
　そして、この訂正事項ａは、願書に添付した明細書に記載した事項の範囲内の訂正であり、実質上特許請求の範囲を拡張し、又は変更するものではない。
　
訂正事項ｂについて
　本訂正事項ｂは、上記訂正事項ａに準じて、「複数の繰り返し模様部分」を「集合させて繰り返し模様を形成可能なデザイン見本」と限定するとともに、「裁断及び印刷マーカ」とは「裁断及び印刷用マー力」であることを明りょうにすることを目的とした訂正であるので、特許請求の範囲の減縮及び明りょうでない記載の釈明を目的とした訂正に該当する。
　そして、この訂正事項ｂは、願書に添付した明細書に記載した事項の範囲内の訂正であり、実質上特許請求の範囲を拡張し、又は変更するものではない。
　
（３）むすび
　したがって、上記訂正は、特許法第１２０条の４第２項の規定、及び第１２０条の４第３項において準用する特許法第１２６条第２項及び第３項の規定に適合するので、該訂正を認める。
　
３．特許異議の申立の概要
　本件特許異議申立人レクトラ　ソシエテ　アノニムは、甲第１号証ないし甲第８号証を提出して、概略、本件請求項１及び請求項３に係る発明は、本件特許出願前に頒布された甲第１号証刊行物記載の発明と同一であり、また、本件請求項１ないし請求項５に係る発明は、甲第１号証ないし甲第８号証の刊行物に記載された発明に基づいて、当業者が容易に発明をすることができたものであるから、本件特許は、特許法第２９条第１項第３号または同条第２項の規定に違反してされたものであるので、特許法第１１３条第１項第２号の規定により取り消されるべきものである旨主張している。証拠方法
甲第１号証：米国特許第４８８７２２８号明細書
甲第２号証：特開平３−９０６０７号公報
甲第３号証：欧州特許出願公開第６０７５３９号明細書
甲第４号証：特開平８−１４４１１７号公報
甲第５号証：特開平９−１３７３１４号公報
甲第６号証：特開平９−１３１６９８号公報
甲第７号証：特許第２７０３１７３号公報
甲第８号証：D.F.Rogers著「PROCEDURAL ELEMENTS FOR COMPUTER GRAPHICS」1985年、McGraw Hill Book発行、１１１〜１５２ページ
甲第９号証：特許第３１１３２４３号公報
参考資料１：特開昭６２−２９６２８１号公報
参考資料２：特許第２９０５０７４号公報
　
４．特許異議申立てについての判断
（１）本件特許発明１〜５
　訂正明細書の請求項１ないし請求項５に係る発明（以下、それぞれ「本件発明１」〜「本件発明５」という）は、訂正明細書の特許請求の範囲の請求項１ないし請求項５に記載された事項により特定されるつぎのとおりのものである（対比の便宜上分説して示す）。
　
「【請求項１】
ａ．パターンピースの形状を規定する境界線の内部にプリントデザインを印刷するパターンピース作製方法であって、
ｂ．シート状の布地に、上記プリントデザインと所定形状の印刷パターンピースを印刷するための印刷装置を準備するステップと；
ｃ．上記印刷装置に接続して、該印刷装置に制御信号を発する制御器を準備するステップと；
ｄ．上記制御器に記憶される上記パターンピースのテンプレートからパターンピースデータベースを電子的に生成するステップと；
ｅ．上記パターンピースに印刷されるべき複数の繰り返し模様部分の画像を生成し、上記制御器に記憶するステップと；
ｆ．複数の上記繰り返し模様部分の画像を連続模様となるように、上記パターンピース内に配置して裁断及び印刷用のマー力を生成するステップと；
ｇ．上記制御器から発せられる制御信号により、上記印刷装置を駆動して上記裁断及び印刷マー力を上記シート材に印刷するステップと；
を有し、
ｈ．上記裁断及び印刷用のマーカを生成するステップは、
　上記パターンピースにより規定される上記境界線に対応する輪郭を生成するステップと；
ｉ．集合させて繰り返し模様を形成可能なデザイン見本を、互いに隣接させて上記輪郭内に配置するステップと；
ｊ．上記複数の繰り返し模様を構成するデザイン見本において、上記輪郭の外側になる領域を定義するステップと；
ｋ．上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定するステップと；
ｌ．上記パターンピースと上記印刷不能な領域とを記憶するステップと；
ｍ．を有することを特徴とするパターンピースの形状を規定する境界線の内部にプリントデザインを印刷するパターンピース作製方法。
　
【請求項２】
ｎ．さらに、上記シート状の布地から、上記パターンピースを裁断する裁断装置を準備するステップと；
ｏ．上記制御器からの制御信号により、上記裁断及び印刷マーカに基づいて、上記パターンピースを上記シート状の布地から裁断するように上記裁断装置を駆動するステップと；
　を有する請求項１記載のパターンピースの形状を規定する境界線の内部にプリントデザインを印刷するパターンピース作製方法。
　
【請求項３】
ｐ．パターンピースの形状を規定する境界線に関して所定の様式でプリントデザインを印刷するパターンピース作製装置において、　
ｑ．布地に所定のプリントデザインを印刷するための印刷装置と；
ｒ．上記印刷装置を制御する制御器と；
ｓ．上記制御器に記憶される上記パターンピースのテンプレートからパターンピースデータベースを電子的に生成する手段と；
ｔ．上記プリントデザインを表す画像を上記制御器内で生成する手段と；
ｕ．裁断及び印刷用マー力を生成すべく、複数の繰り返し模様からなる上記プリントデザインを表す画像と上記パターンピースデータベースを組み合わせる手段と；を設け、
　このプリントデザインを表す画像と上記パターンピースデータベースを組み合わせる手段は、
ｕ−１．上記パターンピースにより規定される上記境界線に対応する輪郭を生成する手段と；
ｕ−２．集合させて繰り返し模様を形成可能なデザイン見本を、互いに隣接させて上記輪郭内に配置する手段と；
ｕ−３．上記複数の繰り返し模様を構成するデザイン見本において、上記輪郭の外側になる領域を定義する手段と；
ｕ−４．上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定する手段と；
ｕ−５．上記パターンピースと上記印刷不能な領域とを記憶する手段と；を有し、
ｖ．上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。
　
【請求項４】
ｗ．さらに、上記パターンピースを上記布地から裁断するため、上記制御器に接続した裁断装置を備えた請求項３記載のパターンピースの形状を規定する境界線に関して所定の様式でプリントデザインを印刷するパターンピース作製装置。
　
【請求項５】
ｘ．上記印刷装置は、顔料を複数のジェット噴射により布地に吹き付ける手段を有する請求項３記載のパターンピースの形状を規定する境界線に関して所定の様式で施されるプリントデザインを印刷するパターンピース作製装置。」
　
（２）引用刊行物
　当審は、本件の請求項１ないし請求項５に係る特許発明は、本件特許出願前に頒布された下記刊行物１ないし刊行物７に記載された発明に基づいて、当業者が容易に発明をすることができたものであるから、本件特許は、特許法第２９条第２項の規定に違反してされたものである旨の取消理由を通知した。
　
　刊行物１：特開平８−１４４１１７号公報（甲第４号証）
　刊行物２：特開昭６２−２９６２８１号公報（参考資料１）
　刊行物３：特開平３−９０６０７号公報（甲第２号証）
　刊行物４：欧州特許出願公開第６０７５３９号明細書（甲第３号証）
　刊行物５：特開平９−１３７３１４号公報（甲第５号証）
　刊行物６：特開平９−１３１６９８号公報（甲第６号証）
　刊行物７：D.F.Rogers著「PROCEDURAL ELEMENTS FOR COMPUTER GRAPHICS」1985年、McGraw Hill Book発行、１１１〜１５２ページ（甲第８号証）
　
　当審が通知した、取消理由に引用した刊行物１（特開平８−１４４１１７号公報：特許異議申立人の提出した甲第４号証）には、衣服等の型片の生地に図柄を割り当てる型片編集装置について、図面とともに、以下のことが記載されている。
　
イ．（第１欄【０００２】段落）「【従来の技術】コンピュータを利用した型片作成装置としては、従来は図柄が予め決められている原型を拡大、縮小するだけのものが主であった。また、デザインを加味したパターンを作成するものとしては、デザイナの描いたデザイン画（図柄）自体を入力し、その入力された図柄を衣服型片に割当てるような装置もあった。これらによって作成された型片は、インクジェット等の技術を利用した生地プリンタにより、生地に図柄を印刷することが行われている。」
　
ロ．（第２〜３欄【００１０】〜【００１１】段落）「図１は、本実施例の型片編集装置の構成を示すブロック図である。本実施例の型片編集装置は、全体を制御するＣＰＵ１と、メモリ２と、型片を表示する表示手段としてのＣＲＴ３と、そのＣＲＴ３に表示された型片上の位置を指定するマウス４とからなる。
　メモリ２は、データ領域２０と、プログラム領域２３と、一時記憶領域２４とを備えている。データ領域２０は、服飾等の型片の仕上り線、縫い代線等の情報を記憶する型片記憶手段としての型片データ領域２１と、型片に印刷するための図柄を記憶する図柄記憶手段としての生地柄データ領域２２とを含む。前記型片データ領域２１には、型片の直線もしくは曲線の線種情報やその長さ等が記憶されている。前記生地柄は、矩形状の基本的なパターンの繰り返しによって表わされ、前記生地柄データ領域２２には、複数種類の生地柄の基本的なパターンがビットマップ形式に記憶されている。前記プログラム領域２３には、型片編集装置を制御するプログラムが記憶されている。前記一時記憶領域２４は、前記型片編集装置を制御するプログラムが実行している間に、一時的にデータを記憶するものである。」
　
ハ．（第３欄【００１３】段落）「電源が投入されると、ＣＰＵ１は、プログラム領域に記憶されたプログラムに従って以下の処理を行なう。まず始めに、ＣＰＵ１は生地柄データ領域２２に記憶された複数種類の生地柄の基本パターンをＣＲＴ３に表示する。すると、使用者は、その表示された複数の生地柄の中から型片に割り付けるべき生地柄をマウス４を使用して選択する（ステップ３１、以下、ステップをＳで表わす）。次に、ＣＰＵ１は、型片データ領域２１に記憶された型片をＣＲＴ３に表示する。使用者は、表示された型片をマウス４によって選択し（Ｓ３２でＹＥＳ）、その選択された型片をＣＲＴ３に拡大して表示する（Ｓ３３）。」
　
ニ．（第３欄【００１４】段落）「その後、ＣＲＴ３に表示された型片の仕上り線の内部に生地柄の割り当てを行なう。具体的には、型片データ領域２１に記憶された型片の原点に、生地柄データ領域２２に記憶された生地柄の原点をマウス４によって一致させることによって、仕上り線に囲まれた型片の内部が選択された生地柄によって埋め尽くされる（Ｓ３４）。次に、ＣＰＵ１は、縫い代部に生地柄を割り当てる処理を行なうサブルーチンを呼ぶ（Ｓ３５）。このサブルーチン処理の詳細な説明は、図３を用いて後述する。その後、ＣＰＵ１は、処理をＳ３２に移行させる。一方、Ｓ３２の処理において、選択するべき型片がないとき（Ｓ３２でＮＯ）は、全ての処理を終了する。」
　
　また、当審が通知した、取消理由に引用した刊行物２（特開昭６２−２９６２８１号公報：特許異議申立人の提出した参考資料１）には、イメージの面部分に面パターンを充填する方法及び該方法実施のための装置について、図面とともに、以下のことが記載されている。
　
ホ．（第３頁右上欄第８〜１２行）「従って本発明は、イメージの面部分に面パターンを充填する方法であって、互いに隣接する、あるいは重なり合う面部分においてパターンが途切れないような方法と、該方法実施のための装置とを提供することを目的とする。」
　
ヘ．（第５頁左下欄第１２〜１５行）「面パターンを充填されるべき面部分２４は、一対角線上に対向して位置する２個の頂点の座標（ｘ１，ｙ１）及び（ｘ２，ｙ２）によって指示される。」
　
ト．（第４頁右下欄第９行〜第５頁左上欄第３行）「そのために、第２Ａ図〜第２Ｅ図に示した本発明方法を用いて、面パターンの充填がまず面部分２４に対して行なわれ、次いで面部分２６に対して行われる。単独の矩形面部分に面パターンを充填する方法の基本理念は、初めページ２２の面全体に面パターンを充填し、次に当該面部分に属しない領域をマスクで覆うことである。この方法で同一の面パターンが多数の矩形面部分に連続的に充填されれば、パターンが面部分同士の境界で途切れずに続くことが保証される。面部分同士が重なり合う場合は重複領域内の面パターンが厳密に重なり合い、その結果印刷されたページ上には途切れないパターンが現出する。」
　
チ．（第６頁右上欄第８行〜同頁左下欄第２行）「マスク関数ｍａｓｋ１、ｍａｓｋ２及びｍａｓｋが、ステップ１３０で計算される。上記マスク関数は、面部分２４外の面パターンを覆い隠すべく機能する。
面部分が矩形である場合、マスク関数は面部分の上方境界及び下方境界それぞれを含むワードについてさえ定義されればよい。図示した例において、ｙ１ｍｏｄ１６＝１０である。従ってｍａｓｋ１は、ビット位置の最初の１０個が０ばかりで、あとの６個が１ばかりである１６ビットワードとなる。ｍａｓｋ１が、例えばラスタイメージメモリ１６のワード対応区分に従って該メモリ１６内の場所Ｍに書き込まれると、総ての０は面部分２４外に、また関連の１は面部分２４内に位置する。」
　
リ．（第８頁右上欄第１行〜同頁左下欄第３行）「ワードＰｗ,ｈのイメージＦ１は面部分２４の上方境界とのみ交差し、従ってワードＰｗ,ｈはステップ１８４において、マスク関数ｍａｓｋ１とのＡＮＤ演算を施される。その結果、面部分２４外に位置する部分はイメージ化されない。ステップ１８０でワードＰｗ,ｈのイメージが面部分２４の上方領域ｙ１＊に位置しないことが示された場合は、上記イメージが面部分の下方領域ｙ２＊に位置するかどうかがステップ１８６で検査される。そのとおりであれば、ワードＰｗ,ｈはステップ１８８においてｍａｓｋ２により変更される。そうでない場合、即ちワードＰｗ,ｈのイメージが面部分２４と全く重ならない場合は、プログラムはステップ１７０（第２Ｃ図）において続行される。ステップ１８２での比較によってワードＰｗ,ｈのイメージが面部分２４の上方境界ｙ１とも下方境界ｙ２とも交差することが示された場合は、ステップ１９０において上記イメージの、面部分２４の上方及び下方境界それぞれの外側に位置する部分が除去されるようにワードＰｗ,ｈをマスク関数ｍａｓｋで変更することによって充填パターンワードＦが発生される。」
　
ヌ．（第３頁右下欄第１３行〜第４頁左上欄第１１行）「ラスタイメージプロセッサ（ＲＩＰ）１５も、ＶＭＥバス１４と接続されている。ラスタイメージプロセッサ１５はまた、ラスタイメージバス（ＲＩバス）１７を介してラスタイメージメモリ（ＲＩＭ）１６とも接続されている。ラスタイメージプロセッサ１５は、パターンメモリ１３で探索されてラスタイメージメモリ１６の必要な記憶場所に読み込まれる文字フォント及び基本面パターンでラスタイメージメモリ１６を満たすのに用いられる。更に、ラスタイメージプロセッサ１５によって他の図形情報も、ＲＡＭ１２から読み出されてラスタイメージメモリ１６の必要な記憶場所に書き込まれ得る。ラスタイメージメモリ１６は情報で満たされた後ラスタイメージプロセッサ１５を介して読み出され得、読み出された情報は直列画素ビットストリームの形態で、バス１８及び変調器を介してレーザプリンタに供給される。」
　
ル．（第９頁左下欄第１行〜同頁右下欄第８行）「処理時間を短縮するために、面パターンは実際には、ページ２２の全体にわたっては発生されない。面パターンはページ２２の、面パターンを充填されるべき面部分が位置するブロックでのみ発生される。面パターンの正確な位置は、面パターンを充填されるべき面部分の境界によってではなく、ブロックの境界によって規定される。
　上述の方法で、パターンメモリ１３から読み出された各ワードＰｗ,ｈに関しブロックマトリクスの、当該ワードＰｗ,ｈに関連する部分が、ワードＰｗ,ｈが総ての受容可能位置に配置され得るように走査される。このことは、ＶＭＥバス１４を介してのパターンメモリ１３からの時間の掛かる読み出しが時々しか、即ち基本パターンブロック２８の各ワードに関してしか必要でないという利点を有する。
　上記とは逆に、面パターンを充填されるべき面部分内の各ワードに関して対応するワードがパターンメモリ１３から読み出されるのであれば、ブロックを満たすのに必要とされる処理時間はＶＭＥバス１４を介しての読み込みの時間Ｔ（ＶＭＥ）によって決定されよう。」
　
（３）対比・判断
【本件発明１について】
　本件発明１（以下「前者」という）を、刊行物１記載のもの（以下「後者」という）と比較する。
　上記記載事項イには、従来のコンピュータを利用した型片作成装置について、図柄を割当てた型片を、生地プリンタにより生地に印刷することが記載されている。刊行物１記載の型片編集装置は、このような従来の型片作成装置の改良に係るものであることから、刊行物１記載の型片編集装置は、図柄を割り当てた型片を、生地プリンタにより生地に印刷することを、当然の前提としているものと認められる。そこで、記載事項イには、前者の構成ａ（パターンピース作成方法），ｂ（印刷装置の準備），ｇ（印刷マーカの印刷）及びｍ（パターンピース作成方法）に相当する事項が実質的に記載されている。
　上記記載事項ロには、型片データ領域２１からなる型片記憶手段と、生地柄データ領域２２からなる図柄記憶手段とを、メモリに備えた型片編集装置について記載されており、生地柄は、矩形状の基本的なパターンの繰り返しによって表わされ、生地柄データ領域２２には、複数種類の生地柄の基本的なパターンがビットマップ形式に記憶されていることが記載されている。
　そこで、記載事項ロの型片編集装置は、前者の制御器に相当するので、記載事項ロには、前者の構成ｃ（制御器の準備）に相当する事項が記載されている。
　上記記載事項ハには、生地柄データ領域２２に記憶された複数種類の生地柄の基本パターンの中から型片に割り付けるべき生地柄を選択するステップ（Ｓ３１）と、型片データ領域２１に記憶された型片を選択するステップ（Ｓ３２）とが記載されている。
　そこで、記載事項ロ、ハより、刊行物１記載の型紙編集装置には、パターンピースデータベースが電子的に生成されており、また、刊行物１記載の、メモリに記憶された矩形状をした基本的なパターンは、繰り返しによって生地柄を表すものであることから、刊行物１記載の型紙編集装置には、繰り返し模様のための画像が記憶されていると認められるので、記載事項ロ、ハには、前者の構成のｄ（パターンピースデータベースの生成），ｅ（繰り返し模様部分の画像の生成）に対応する事項が記載されている。
　上記記載事項ニには、仕上り線に囲まれた型片の内部を、選択された生地柄によって埋め尽くすステップ（Ｓ３４）について記載されている。
　ここで、生地柄データ領域２２には、複数種類の生地柄の基本的なパターンがビットマップ形式に記憶されており、生地柄は、矩形状の前記基本的なパターンの繰り返しによって表わされることから、上記埋め尽くしは、選択された矩形状の基本的なパターンを、型片の内部に繰り返し隣接させて配置することにより行なわれるものと認められる。
　そこで、記載事項ニには、前者の構成のｆ（繰り返し模様部分の画像のパターンピース内への配置とマーカの生成）に相当する事項が記載されている。
　
　そこで、両者は、次の一致点で一致し、相違点１ないし２で相違する。
（一致点）
「ａ．パターンピースの形状を規定する境界線の内部にプリントデザインを印刷するパターンピース作製方法であって、
ｂ．シート状の布地に、上記プリントデザインと所定形状の印刷パターンピースを印刷するための印刷装置を準備するステップと；
ｃ．上記印刷装置に接続して、該印刷装置に制御信号を発する制御器を準備するステップと；
ｄ．上記制御器に記憶される上記パターンピースのテンプレートからパターンピースデータベースを電子的に生成するステップと；
ｅ．上記パターンピースに印刷されるべき複数の繰り返し模様部分の画像を生成し、上記制御器に記憶するステップと；
ｆ’．複数の上記繰り返し模様部分の画像を連続模様となるように、上記パターンピース内に配置して印刷用のマー力を生成するステップと；
ｇ．上記制御器から発せられる制御信号により、上記印刷装置を駆動して上記印刷マー力を上記シート材に印刷するステップと；
ｍ．を有することを特徴とするパターンピースの形状を規定する境界線の内部にプリントデザインを印刷するパターンピース作製方法。」
　
（相違点１）
　前者のマーカは、裁断及び印刷用のマーカであるのに対し、後者の生地柄を割付けた型片は、印刷用のものであるが、裁断用のマーカであるか否か、必ずしも明かでない点。
　
（相違点２）
　前者の、裁断及び印刷用のマーカを生成するステップは、
「ｈ．上記パターンピースにより規定される上記境界線に対応する輪郭を生成するステップと；
ｉ．集合させて繰り返し模様を形成可能なデザイン見本を、互いに隣接させて上記輪郭内に配置するステップと；
ｊ．上記複数の繰り返し模様を構成するデザイン見本において、上記輪郭の外側になる領域を定義するステップと；
ｋ．上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定するステップと；
ｌ．上記パターンピースと上記印刷不能な領域とを記憶するステップと」からなるのに対し、後者は、マーカの生成に相当する、型片の内部を選択された生地柄によって埋め尽くす作業を行うものであるが、その手順について明かでない点。
　
（相違点１についての判断）
　型片は、その後の裁断、縫製を前提として生地に印刷されるものであり、このことは、例えば刊行物３（甲第２号証）に、型片に相当するものについて「裁断型片」とあるように周知である。
　そこで、刊行物１の型片を裁断及び印刷用のマーカとする点は、当業者が当然なし得た事項にすぎない。
（相違点２についての判断）
　印刷のためのイメージの所定形状の面部分を、繰り返しパターンで埋め尽くすものにおいて、相違点２に係るような手順をとるものは、刊行物２（参考資料１）に記載されるように良く知られており、それを採用して相違点２のように構成することは、当業者が容易に想到し得たことである。
　すなわち、刊行物２には、互いに隣接する面部分においてパターンが途切れないような面パターンを、イメージの面部分に充填する方法について記載されており（記載ホ参照）、構成ｈに相当する、面パターンを充填する面部分の輪郭を生成することと（記載ヘ参照）、構成ｉ，ｊ，ｋに相当する、面全体に面パターンを隣接させて充填し、面パターンにおいて面の輪郭の外側となる領域をマスクとして定義して、外側部分を印刷不能とすることと（記載ト等参照）、構成ｌに相当する、印刷不能な領域を記憶すること（記載ヌ参照）が記載されている。
　詳述すると、刊行物２の記載ト及びルには、特に構成ｉに関して、「同一の面パターンが多数の矩形面部分に連続的に充填されれば、パターンが面部分同士の境界で途切れずに続くことが保証される。面部分同士が重なり合う場合は重複領域内の面パターンが厳密に重なり合い、その結果印刷されたページ上には途切れないパターンが現出する。」（記載ト）及び、「面パターンはページ２２の、面パターンを充填されるべき面部分が位置するブロックのみで発生される。」（請求項ル）と記載されており、「面パターン」は本件発明１の「デザイン見本」に相当するので、これらの記載は、構成ｉの「集合させて繰り返し模様を形成可能なデザイン見本を、互いに隣接させて上記輪郭内に配置するステップ」に相当する。
　さらに記載チ、リには、特に構成ｊ，ｋに関係する、マスク処理について詳しく記載され、本件発明の「デザイン見本」に相当する面パターンについて、面部分の輪郭の外側になる領域の定義を行い、この領域のイメージを除去することが記載されている。
　すなわち、「マスク関数ｍａｓｋ１、ｍａｓｋ２及びｍａｓｋが、ステップ１３０で計算される。上記マスク関数は、面部分２４外の面パターンを覆い隠すべく機能する。」（記載チ）とあるように、マスク関数が計算され、「ワードＰｗ,ｈのイメージＦ１は面部分２４の上方境界とのみ交差し、従ってワードＰｗ,ｈはステップ１８４において、マスク関数ｍａｓｋ１とのＡＮＤ演算を施される。その結果、面部分２４外に位置する部分はイメージ化されない。・・・」（記載リ）とあるように、各面パターンは、ワード単位で面部分の外側になる領域が定義されるので、このことは、構成ｊの「上記複数の繰り返し模様を構成するデザイン見本において、上記輪郭の外側になる領域を定義するステップ」に相当し、また、このことは、マスクにより、「面部分２４外の面パターンを覆い隠」し、印刷不能とするものであるから、構成ｋの「上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定するステップ」に相当する。
　そして、記載ヌには、ラスタイメージプロセッサが処理して得られたデータをラスタイメージメモリに記憶することが記載されており、これは、構成ｌの「上記パターンピースと上記印刷不能な領域とを記憶するステップ」に相当する。
　
【本件発明２について】
　本件発明２は、本件発明１の技術事項を引用するとともに、
「ｎ．さらに、上記シート状の布地から、上記パターンピースを裁断する裁断装置を準備するステップと；
ｏ．上記制御器からの制御信号により、上記裁断及び印刷マーカに基づいて、上記パターンピースを上記シート状の布地から裁断するように上記裁断装置を駆動するステップと；」
を含むように構成を限定したものであるが、マーカに基づいて布等のシートを裁断装置で裁断することは、上記刊行物４，５，６に記載されているように周知であるから、構成ｎ，ｏを限定して、本件訂正発明２のようにすることは、当業者が容易に想到し得たことである。
　
【本件発明３について】
　本件訂正発明３は、本件発明１の方法を実施する装置に係るものであって、上記のように、構成ｐ〜ｖよりなっている。
　そこで、これを刊行物１記載のものと対比すると、次のようである。
　
　刊行物１記載の型片編集装置は、生地プリンタによる型片の印刷を前提として、型片の内部を選択された生地柄によって埋め尽くすものであるから、本件発明３の構成ｐの「パターンピースの形状を規定する境界線に関して所定の様式でプリントデザインを印刷するパターンピース作製装置」及び構成ｖの、「上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。」に相当し、
　生地プリンタは、構成ｑの「布地に所定のプリントデザインを印刷するための印刷装置」に相当し、
　型片編集装置は生地プリンタに印刷を行わせるものであるから、構成ｒの「印刷装置を制御する制御器」を含むものであり、
　型片編集装置の型片記憶手段は（記載ロ参照）、構成ｓの「上記制御器に記憶される上記パターンピースのテンプレートからパターンピースデータベースを電子的に生成する手段」に相当し、
　図柄記憶手段を含むメモリーとＣＰＵとは、型片編集装置内で、選択された基本的なパターンの繰り返しデータを生成するので（記載ニ参照）、構成ｔの「上記プリントデザインを表す画像を上記制御器内で生成する手段」に相当し、
　型片編集装置のＣＰＵは、印刷を前提として、型片の内部を選択された生地柄によって埋め尽くす作業によって、生地柄と型片のデータを組み合わせるものであるから、構成ｕの「裁断及び印刷用マー力を生成すべく、複数の繰り返し模様からなる上記プリントデザインを表す画像と上記パターンピースデータベースを組み合わせる手段」に対応する。
　
　そこで、両者は、構成ｐないしｔ及びｖにおいて、次の一致点で示すように一致し、次の相違点３、４で相違する。
　
（一致点）
ｐ．パターンピースの形状を規定する境界線に関して所定の様式でプリントデザインを印刷するパターンピース作製装置において、　
ｑ．布地に所定のプリントデザインを印刷するための印刷装置と；
ｒ．上記印刷装置を制御する制御器と；
ｓ．上記制御器に記憶される上記パターンピースのテンプレートからパターンピースデータベースを電子的に生成する手段と；
ｔ．上記プリントデザインを表す画像を上記制御器内で生成する手段と；
ｕ’．印刷用マー力を生成すべく、複数の繰り返し模様からなる上記プリントデザインを表す画像と上記パターンピースデータベースを組み合わせる手段と；を設け、
ｖ．上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。
（相違点３）プリントデザインを表す画像と上記パターンピースデータベースを組み合わせる手段が、本件発明３では、「裁断及び印刷用マー力を生成」するのに対し、刊行物１記載の型片編集装置のＣＰＵは、印刷用マーカに相当するものを生成する点。
（相違点４）
　プリントデザインを表す画像とパターンピースデータベースを組み合わせる手段について、本件発明３は、
「ｕ−１．上記パターンピースにより規定される上記境界線に対応する輪郭を生成する手段と；
ｕ−２．集合させて繰り返し模様を形成可能なデザイン見本を、互いに隣接させて上記輪郭内に配置する手段と；
ｕ−３．上記複数の繰り返し模様を構成するデザイン見本において、上記輪郭の外側になる領域を定義する手段と；
ｕ−４．上記輪郭の外側になる上記デザイン見本の領域を印刷不能にし、これにより、上記輪郭が上記隣接させた複数の上記デザイン見本により形成されるように設定し、かつ前記輪郭の外周を上記印刷不能な領域として設定する手段と；
ｕ−５．上記パターンピースと上記印刷不能な領域とを記憶する手段と；」を有するものであるのに対し、刊行物１記載のものは、これらの手段を含むか否か明かでない点。
　
（相違点３について）
　相違点１について上記したとおり、刊行物１の型片は、その後の裁断、縫製を前提として生地に印刷されるものであり、このことは、例えば刊行物３（甲第２号証）にも示すように周知である。
　そこで、型片編集装置のＣＰＵを、裁断及び印刷用のマーカを生成するようにして、相違点３のように構成することは、当業者が当然なし得た事項にすぎない。
　
（相違点４について）
　刊行物２には、互いに隣接する面部分において、パターンが途切れないような面パターンを、イメージの面部分に充填する装置について記載されており（上記記載ホ参照）、構成ｕ−１に対応する、面パターンを充填する面部分の輪郭を生成する処理と（上記記載ヘ参照）、構成ｕ−２，ｕ−３，ｕ−４に対応する、面全体に面パターンを隣接させて充填し、面パターンにおいて、面の輪郭の外側の領域をマスク関数により定義して、外側領域部分を印刷不能とする処理（上記記載ト参照）とを実行する手段である、ラスタイメージプロセッサ（ＲＩＰ）を含むシステムについて記載（上記記載記載ヌ参照）されている。
　そして、刊行物２記載のものは、印刷のためのイメージ処理技術に関して、本件発明及び刊行物１記載のものと関連する技術分野に属するものであるので、本件発明３は、刊行物１記載の型片編集装置に刊行物２に記載されたものを適用して当業者が容易に発明をすることができたものである。
　
【本件発明４について】
　本件発明４は、本件発明３の技術事項を引用するとともに、「上記パターンピースを上記布地から裁断するため、上記制御器に接続した裁断装置を備え」ることについて構成を限定したものであるが、マーカに基づいて布等のシートを裁断するための、制御器に接続した裁断装置は、上記刊行物４，５，６に記載されているように周知であるから、上記のように限定して、本件発明４のようにすることは、当業者が容易に想到し得たことである。
　
【本件発明５について】
　本件発明５は、本件発明３の技術事項を引用するとともに、「上記印刷装置は、顔料を複数のジェット噴射により布地に吹き付ける手段を有する」と構成を限定したものであるが、刊行物１には、生地に図柄を印刷する「インクジェット等の技術を利用した生地プリンタ」（記載イ参照）が記載されている。
　かかる生地プリンタは、例えば刊行物３にも、素材原反の所望の位置に所望の柄・配色の着色材を付与する（例えば３ページ左下欄１３〜１７行参照）「インクジェットカラープリンタ７」として示されるように周知である。
　そして、一般にインクジェットカラープリンタが、多色を表現するための複数のノズルを有することは周知であり、インクジェットプリンタにより噴射されるべきインクとして染料を用いたものも、顔料を用いたものもいずれも周知であることから、上記構成のように限定することは、当業者が必要に応じ適宜なし得た設計的事項にすぎない。
　
（４）むすび
　以上のとおりであるので、本件発明１〜５は、刊行物１〜６に記載されたものに基づいて、当業者が容易に発明をすることができたものであるから、本件発明１〜５の特許は、特許法第２９条第２項の規定に違反してされたものである。
　
　したがって、本件発明についての特許は、特許法第１１３条第２項に該当し、取り消されるべきものである。
　
　よって、結論の通り決定する。
【異議決定日】
平成１４年９月１１日（２００２．９．１１）
【訂正の要旨】
訂正事項
▲１▼訂正事項ａ
設定登録時の請求項１の記載、
　『パターンピースの形状を規定する境界線の内部にプリントデザインを印刷するパターンピース作製方法であって、
　シート状の布地に、上記プリントデザインと所定形状の印刷パターンピースを印刷するための印刷装置を準備するステップと；
　上記印刷装置に接続して、該印刷装置に制御信号を発する制御器を準備するステップと；
　上記制御器に記憶される上記パターンピースのテンプレートからパターンピースデータベースを電子的に生成するステップと；
　上記パターンピースに印刷されるべきデザインの繰り返し模様部分の画像を生成し、上記制御器に記憶するステップと；
　複数の上記繰り返し模様部分の画像を連続模様となるように、上記パターンピース内に配置して裁断及び印刷マーカを生成するステップと；
　上記制御器から発せられる制御信号により、上記印刷装置を駆動して上記裁断及び印刷マーカを上記シート材に印刷するステップと；
を有し、
　上記裁断及び印刷マーカを生成するステップは、
　上記パターンピースにより規定される上記境界線に対応する輪郭を生成するステップと；
　上記複数の繰り返し模様部分を、互いに隣接させて上記輪郭内に配置するステップと；
　上記複数の繰り返し模様部分において、上記輪郭の外側になる領域を定義するステップと；
　上記輪郭の外側になる領域を印刷不能にし、これにより、上記輪郭が上記隣接させた複数の繰り返し模様部分により形成されるように設定し、かつ前記輪郭の外周を上記印刷不能な領域として設定するステップと；
　上記パターンピースと上記印刷不能な領域とを記憶するステップと；
を有することを特徴とするパターンピースの形状を規定する境界線の内部にプリントデザインを印刷するパターンピース作製方法。』
を、
『パターンピースの形状を規定する境界線の内部にプリントデザインを印刷するパターンピース作製方法であって、
　シート状の布地に、上記プリントデザインと所定形状の印刷パターンピースを印刷するための印刷装置を準備するステップと；
　上記印刷装置に接続して、該印刷装置に制御信号を発する制御器を準備するステップと；
　上記制御器に記憶される上記パターンピースのテンプレートからパターンピースデータベースを電子的に生成するステップと；
上記パターンピースに印刷されるべき複数の繰り返し模様部分の画像を生成し、上記制御器に記憶するステップと；
複数の上記繰り返し模様部分の画像を連続模様となるように、上記パターンピース内に配置して裁断及び印刷
用の
　上記制御器から発せられる制御信号により、上記印刷装置を駆動して上記裁断及び印刷マーカを上記シート材に印刷するステップと；
を有し、
　上記裁断及び印刷
用の
　上記パターンピースにより規定される上記境界線に対応する輪郭を生成するステップと；
集合させて繰り返し模様を形成可能なデザイン見本を、
上記複数の繰り返し模様を構成するデザイン見本において、
と；
　上記輪郭の外側になる
上記デザイン見本の
デザイン見本
　上記パターンピースと上記印刷不能な領域とを記憶するステップと；
　を有することを特徴とするパターンピースの形状を規定する境界線の内部にプリントデザインを印刷するパターンピース作製方法。』
と訂正する。
▲２▼訂正事項ｂ
　設定登録時の請求項３の記載、
　『パターンピースの形状を規定する境界線に関して所定の様式でプリントデザインを印刷するパターンピース作製装置において、
　布地に所定のプリントデザインを印刷するための印刷装置と；
　上記印刷装置を制御する制御器と；
　上記制御器に記憶される上記パターンピースのテンプレートからパターンピースデータベースを電子的に生成する手段と；
　上記プリントデザインを表す画像を上記制御器内で生成する手段と；
　裁断及び印刷マーカを生成すべく、複数の繰り返し模様からなる上記プリントデザインを表す画像と上記パターンピースデータベースを組み合わせる手段と；を設け、
　このプリントデザインを表す画像と上記パターンピースデータベースを組み合わせる手段は、
　上記パターンピースにより規定される上記境界線に対応する輪郭を生成する手段と；
　複数の繰り返し模様部分を、互いに隣接させて上記輪郭内に配置する手段と；
　上記複数の繰り返し模様部分において、上記輪郭の外側になる領域を定義する手段と；
　上記輪郭の外側になる領域を印刷不能にし、これにより、上記輪郭が上記隣接させた複数の繰り返し模様部分により形成されるように設定し、かつ前記輪郭の外周を上記印刷不能な領域として設定する手段と；
上記パターンピースと上記印刷不能な領域とを記憶する手段と；を有し、
上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。』
を、
　『パターンピースの形状を規定する境界線に関して所定の様式でプリントデザインを印刷するパターンピース作製装置において、
　布地に所定のプリントデザインを印刷するための印刷装置と；
　上記印刷装置を制御する制御器と；
　上記制御器に記憶される上記パターンピースのテンプレートからパターンピースデータベースを電子的に生成する手段と；
　上記プリントデザインを表す画像を上記制御器内で生成する手段と；
　裁断及び印刷
用
　このプリントデザインを表す画像と上記パターンピースデータベースを組み合わせる手段は、
　上記パターンピースにより規定される上記境界線に対応する輪郭を生成する手段と；
　
集合させて繰り返し模様を形成可能なデザイン見本
　
上記複数の繰り返し模様を構成するデザイン見本において、
　上記輪郭の外側になる
上記デザイン見本
上記デザイン見本
　上記パターンピースと上記印刷不能な領域とを記憶する手段と；を有し、上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。』
と
訂正する。
（５４）【発明の名称】
パターンピースの形状を規定する境界線の内部にプリントデザインを印刷するパターンピース作製方法及び装置
（５７）【特許請求の範囲】
　【
請求項１
　シート状の布地に、上記プリントデザインと所定形状の印刷パターンピースを印刷するための印刷装置を準備するステップと；
　上記印刷装置に接続して、該印刷装置に制御信号を発する制御器を準備するステップと；
　上記制御器に記憶される上記パターンピースのテンプレートからパターンピースデータベースを電子的に生成するステップと；
上記パターンピースに印刷されるべき複数の繰り返し模様部分の画像を生成し、上記制御器に記憶するステップと；
複数の上記繰り返し模様部分の画像を連続模様となるように、上記パターンピース内に配置して裁断及び印刷
用の
　上記制御器から発せられる制御信号により、上記印刷装置を駆動して上記裁断及び印刷マーカを上記シート材に印刷するステップと；
を有し、
　上記裁断及び印刷
用の
　上記パターンピースにより規定される上記境界線に対応する輪郭を生成するステップと；
集合させて繰り返し模様を形成可能なデザイン見本を、
上記複数の繰り返し模様を構成するデザイン見本において、
と；
　上記輪郭の外側になる
上記デザイン見本の
デザイン見本
　上記パターンピースと上記印刷不能な領域とを記憶するステップと；
　を有することを特徴とするパターンピースの形状を規定する境界線の内部にプリントデザインを印刷するパターンピース作製方法。
　【請求項２】　さらに、上記シート状の布地から、上記パターンピースを裁断する裁断装置を準備するステップと；
　上記制御器からの制御信号により、上記裁断及び印刷マーカに基づいて、上記パターンピースを上記シート状の布地から裁断するように上記裁断装置を駆動するステップと；
　を有する請求項１記載のパターンピースの形状を規定する境界線の内部にプリントデザインを印刷するパターンピース作製方法。
　【
請求項３
　布地に所定のプリントデザインを印刷するための印刷装置と；
　上記印刷装置を制御する制御器と；
　上記制御器に記憶される上記パターンピースのテンプレートからパターンピースデータベースを電子的に生成する手段と；
　上記プリントデザインを表す画像を上記制御器内で生成する手段と；
　裁断及び印刷
用
　このプリントデザインを表す画像と上記パターンピースデータベースを組み合わせる手段は、
　上記パターンピースにより規定される上記境界線に対応する輪郭を生成する手段と；
　
集合させて繰り返し模様を形成可能なデザイン見本
　
上記複数の繰り返し模様を構成するデザイン見本において、
　上記輪郭の外側になる
上記デザイン見本
上記デザイン見本
　上記パターンピースと上記印刷不能な領域とを記憶する手段と；を有し、上記プリントデザインが上記パターンピースの形状を規定する境界線の内部に描かれるようにしたことを特徴とするパターンピースの形状を規定する境界線に関して所定の様式でプリントデザインを印刷するパターンピース作製装置。
　【請求項４】　さらに、上記パターンピースを上記布地から裁断するため、上記制御器に接続した裁断装置を備えた請求項３記載のパターンピースの形状を規定する境界線に関して所定の様式でプリントデザインを印刷するパターンピース作製装置。
　【請求項５】　上記印刷装置は、顔料を複数のジェット噴射により布地に吹き付ける手段を有する請求項３記載のパターンピースの形状を規定する境界線に関して所定の様式で施されるプリントデザインを印刷するパターンピース作製装置。
【発明の詳細な説明】
　【０００１】
　【技術分野】
　本発明は、衣服、又は椅子若しくはクッションの布張り等を作製する方法及びその装置に関し、より具体的には、縫製されて衣服等となる布地から裁断される所定形状のパターンピース（型紙）に、そのパターンピースの形状を規定する境界線に関して所定の様式を保ちつつ布地に施す図柄（プリントデザイン）を印刷できるような、パターンピースの作製方法及び装置に関する。
　【０００２】
　【従来技術およびその問題点】
　コンピュータ制御による布地裁断マーカが公知である。このような装置としては、本発明の譲受人であるガーバーガーメントテクノロジー社（Ｇｅｒｂｅｒ　Ｇａｒｍｅｎｔ
　Ｔｅｃｈｎｏｌｏｇｙ，Ｉｎｃ．）製のアキュマーク（Ａｃｃｕｍａｒｋ）マーカ作製機等がある。これらのシステムは、所定の布地上に配置されるパターンピースの密度を最適化するために、コンピュータ上で作製するマーカを利用しており、これにより、布地の浪費を最小限に抑えている。すなわち、歩留まりを最大限に保つようにしている。しかしながら、格子縞、ストライプ、繰り返し模様等を備えた布地からパターンピースを作製する場合は、服飾デザイナーが、完成した状態の衣服等において、互いに隣接し又は互いに重なり合うような位置に対応する複数のパターンピースに亘り、上記格子縞、ストライプ、繰り返し模様等に関して特定の配列（格子縞が揃うこと、ストライプが一致すること等）を要求することがあるので、これらの模様を有する布地の扱いには困難を伴う。したがって、このような要求があった場合に、所定面積の布地に対して、コンピュータ上で設定されるマーカ領域内のパターンピースの密度を最大にすると、複数のパターンピースに亘り上記格子縞、ストライプ、繰り返し模様等の図柄間に特定の配列を持たせたデザインが、必ずしも得られるとは限らない。別言すると、上述のような特定の配列を得るためのマーカは、このような配列を考慮しないマーカに比べて、一般にパターンピース密度が低いため、このようなマーカを用いると、布地の歩留まりが悪くなる。
　【０００３】
　多くの布地のプリントデザインにおいては、格子縞及びストライプ以外の繰り返し模様は、平面状に配置された無地の布地に図柄を印刷することにより作製される。同様の目的で、例えば、回転板、シルクスクリーン印刷等が従来より用いられている。さらに、インク、染料、顔料等をジェット噴射により、布地に吹き付けて印刷を施すことも可能である。なお、この方式は、公知のインクジェットペーパプリントプロセスと類似である。このインクジェットペーパプリントプロセスと同様に、布地へのジェット印刷もコンピュータの制御で行われる。
　【０００４】
　【発明の目的】
　本発明は、縫製されて衣服等となる布地から裁断される所定形状のパターンピースに、そのパターンピースの形状を規定する境界線に関して所定の様式を保ってプリントデザインを印刷できるような、パターンピースの作製方法及び装置を、布地の歩留まりを維持しつつ、提供することを目的とする。
　【０００５】
　【発明の概要】
　本発明は、パターンピースの形状を規定する境界線の内部にプリントデザインを印刷するパターンピース作製方法であって、シート状の布地に、上記プリントデザインと所定形状の印刷パターンピースを印刷するための印刷装置を準備するステップと；上記印刷装置に接続して、該印刷装置に制御信号を発する制御器を準備するステップと；上記制御器に記憶される上記パターンピースのテンプレートからパターンピースデータベースを電子的に生成するステップと；上記パターンピースに印刷されるべき複数の繰り返し模様部分の画像を生成し、上記制御器に記憶するステップと；複数の上記繰り返し模様部分の画像を連続模様となるように、上記パターンピース内に配置して裁断及び印刷
用の
用の
集合させて繰り返し模様を形成可能なデザイン見本を、
上記複数の繰り返し模様を構成するデザイン見本において、
と；上記輪郭の外側になる
上記デザイン見本の
デザイン見本
　【０００６】
　上述のパターンピース作製方法は、さらに、上記パターンピースにより規定される上記境界線に対応する輪郭を生成するステップと；上記複数の繰り返し模様部分を、互いに隣接させて上記輪郭内に配置するステップと；上記複数の繰り返し模様部分において、上記輪郭の外側になる領域を定義するステップと；上記輪郭の外側になる領域を印刷不能にし、これにより、上記輪郭が上記隣接させた複数の繰り返し模様部分により形成されるように設定し、かつ前記輪郭の外周を上記印刷不能な領域として設定するステップと；上記パターンピースと上記印刷不能な領域とを記憶するステップと；を有すると好ましい。
　【０００７】
　また、上述のパターンピース作製方法は、上記シート状の布地から、上記パターンピースを裁断する裁断装置を準備するステップと；上記制御器からの制御信号　により、上記裁断及び印刷マーカに基づいて、上記パターンピースを上記シート状の布地から裁断するように上記印刷装置を駆動するステップと；を有すると好ましい。
　【０００８】
　さらに、本発明は、布地に所定のプリントデザインを印刷するための印刷装置と；上記印刷装置を制御する制御器と；上記制御器に記憶される上記パターンピースのテンプレートからパターンピースデータベースを電子的に生成する手段と；上記プリントデザインを表す画像を上記制御器内で生成する手段と；裁断及び印刷マーカを生成すべく、上記プリントデザインを表す画像と上記パターンピースデータベースを組み合わせる手段と；を備えたパターンピース作製装置であって、上記プリントデザインが上記パターンピースの形状を規定する境界線の内部に描かれるようにすると好ましい。
　【０００９】
　【発明の実施の形態】
　図１のフローチャートに基づき、本発明に係るパターンピースの作製方法を説明する。まず、ステップ１０において、各種形状のパターンピース記憶する、コンピュータ（以下、制御器）内に設けた、パターンピースデータベース（以下、データベース）から、指定するパターンピースに対応したテンプレートを生成する。このデータベースとは、各種形状のパターンピースに対応するテンプレートを電子ファイル化したものである。これらテンプレートには、マーカ領域内でパターンピースを位置決めするために用いる整合点が設けてある。この整合点については後述する。上記のデータベースは、公知の種々のシステムにより生成することが可能だが、例えば、本発明の譲受人であるガーバーガーメントテクノロジー社（Ｇｅｒｂｅｒ　Ｇａｒｍｅｎｔ　Ｔｅｃｈｎｏｌｏｇｙ，Ｉｎｃ．）により製造、販売されているアキュマーク（ＡｃｃｕＭａｒｋ）マーカ作製システムを用いると、特に効率よくマーカを作製することができる。
　【００１０】
　上述のパターンピースのテンプレートに加え、ステップ２０において、布地に印刷されるべき図柄であるプリントデザインに対応させて、その画像又はテンプレートも電子的に生成されて、上記データベースに記憶させる。これらのテンプレートも公知の種々のシステムにより生成することが可能だが、例えば、本発明の譲受人であるガーバーガーメントテクノロジー社（Ｇｅｒｂｅｒ　Ｇａｒｍｅｎｔ　Ｔｅｃｈｎｏｌｏｇｙ，Ｉｎｃ．）により製造、販売されているアートワークシステム（Ａｒｔｗｏｒｋｓ　Ｓｙｓｔｅｍ）を用いると、プリントデザインの画像生成に特に有効である。
　【００１１】
　ステップ３０において、一つ又は複数のプリントデザインのテンプレートと、一つ又は複数のパターンピースのテンプレートとを、後述する手段により電子的に組み合わせて、裁断及び印刷用のマーカを生成する。これにより、プリントデザインが、あたかも完成したパターンピース上にあるが如く、表示画面上の各パターンピース内に現れる。
　【００１２】
　ステップ４０において、上述の一連の情報に基づく制御器からの指令により、印刷装置が布地に所定のプリントデザインを印刷する。この印刷装置としては、染料ジェット印刷装置が適しているが、一例として、カリフォルニア州サンディエゴのエンカド社（Ｅｎｃａｄ，Ｉｎｃ．）が製造、販売するノバジェットプロシリーズ（ＮＯＶＡＪＥＴ　ＰＲＯＳＥＲＩＥＳ）が挙げられる。なお、この染料ジェット印刷装置は、本発明の範疇を逸脱することなく、他の装置、例えば、インクジェットプリンタ又はサーマルプリンタに、置き換えることも可能である。
　【００１３】
　ステップ５０において、制御器はステップ３０で生成したマーカの情報を利用して、このマーカを、すでにステップ４０でプリントデザインが印刷されている布地に描くための指令を印刷装置に出す。なお、ここで用いられる布地は、無地が好ましいが、本発明はこれに限定されることなく、例えば、事前に図柄が印刷された布地にマーカを印刷することも可能である。
　そして、ステップ６０において、プリントデザインが印刷された布地からパターンピースが、操作者により、または制御器からの指令により駆動するカッターによって、裁断される。
　【００１４】
　次に、図２は、データベースから選択されたパターンピーステンプレート６２がビデオディスプレー５６上に描かれる状態を示している。このビデオディスプレー５６が表示するパターンピーステンプレート６２の画像は、後に所定のプリントデザインが印刷され、かつパターンピースとして裁断される布地を表している。画面上のパターンピーステンプレート６２は、布地上で、所望の方向に回転させることができる。一方、プリントデザイン６４（集合させて繰り返し模様を形成可能なデザイン見本）が、画面上でパターンピーステンプレート６２に重なって配置され、該パターンピーステンプレート６２と整合するように回転される。上記のように、各プリントデザイン６４は識別可能な繰り返しパターンを有するので、データベースには１種類のプリントデザイン６４を記憶すればよく、これにより、システムを実行するために必要となるディスクへの情報記憶量を減少させることができる。
　【００１５】
　図３は、パターンピーステンプレート６２とプリントデザイン６４との相対位置決めが終了した状態を示している。そして、制御器は次に画面に表示されたパターンピース６２を包含する、領域Ｐを形成する複数の矩形の区画６６の算出を行う。さらに、制御器からの指令に基づき、この区画６６には、複数のプリントデザイン６４が配置され、ビデオディスプレー５６上に連続布地パターンとして表示される。各プリントデザイン６４の位置は、データベース内に、機械読み取り可能なフォーマットで記憶されている少なくとも２つの直交座標軸Ｘ、Ｙにより認識されると好ましい。このように、区画６６に複数のプリントデザイン６４を配置した状態で、制御器はさらに、パターンピース６２の輪郭とこれらプリントデザイン６４との交点位置を算出する。この交点が、既述の整合点となる。
　【００１６】
　そして、図４に示すように、上述の交点（整合点）を見いだすと、本発明に係るシステムは制御器からの指令に基づき、所定のプリントデザイン６４を電子的にまず一つ選択して、対応する領域Ｐ内の矩形の区画に対して、パターンピース６２の輪郭の外側となる幾何学的形状６８を生成する。このプロセスは、全てのプリントデザイン６４が解析されるまで続けられ、この情報はデータベースに記憶されて行く。したがって、これらの情報が蓄積されたデータベースには、プリントデザイン６４のビットマップと、各プリントデザイン６４の位置と方向を認識するＸ軸、Ｙ軸に関する座標値と、上述の交点（整合点）も含めた複数のパターンピース６２の幾何学的情報、及び一連の上記幾何学的形状６８が、記憶される。
　【００１７】
　上述の情報を取り入れるべくデータベースを生成かつ拡張した後は、図５に示すように、制御器は、パターンピース６２の輪郭の外側に位置する上記幾何学的形状６８内（図５の破線内の領域）のピクセルを認識する。そして、この幾何学形状６８の外側のピクセルの特性は、透明又は使用される印刷装置では印刷に用いない色となるように変更される。これにより、パターンピース６２の輪郭内にあるプリントデザイン６４のみがビデオディスプレー５６に表示され、かつ印刷される。つまり、幾何学形状６８は印刷されない。このような方式によれば、パターンピース６２を、領域Ｐ内でいわゆる入れ子のように作成して、印刷及び裁断用のマーカを生成することができる。
　【００１８】
　以上、説明したように、プリントデザイン６４を各パターンピース６２の輪郭内で個々に調整するので、布地の連続デザインに係る問題も解消することができる。すなわち、布地上において、複数のパターンピースに亘りデザインの整合をする必要がなくなるからである。さらに、プリントデザイン６４の印刷も、マーカの印刷と実質的に同時になされるので、図柄が印刷された布地を在庫として保有する必要がない。
　【００１９】
　次に、本発明を適用した布地印刷裁断装置１００を図６に示す。この布地印刷裁断装置１００は、少なくとも４本の脚１０４に支持されたテーブル１０２を備えている。そして、このテーブル１０２は、被作業物（布地）１０６を支持する上部平面作業台１２０を有している。
　【００２０】
　テーブル１０２の幅方向に亘り、第１キャリッジ１０８が第１の方向であるＸ軸方向に移動可能に支持され、該第１キャリッジ１０８には、カッタキャリッジ１１２が、第２の方向であるＸ軸と直交するＹ軸方向に移動可能に、支持されている。
　【００２１】
　上記カッタキャリッジ１１２には、カッタヘッド１１４が搭載されている。そして、このカッタヘッド１１４には、例えば、回転刃、往復刃、レーザー、ウォータジェット等種々の裁断装置を搭載することができる。
　【００２２】
　さらに、第２キャリッジ１１６もまた、第１キャリッジ１０８と同様に、テーブル１０２の幅方向に亘り、第１の方向であるＸ軸方向に移動可能に支持されている。この第２キャリッジ１１６には、プリンターキャリッジ１２２が、第２の方向であるＹ軸方向に移動可能に、支持されている。
　【００２３】
　上記プリンターキャリッジ１２２には、顔料ジェットプリンタを備えたプリントヘッド１２４が搭載されている。プリンタはこれに限定されることなく、例えば、染料インクジェット、又はインクジェットのみならず、熱転写型プリンタ等も用いることができる。
　【００２４】
　そして、布地印刷裁断装置１００は、ケーブル１２８により信号の授受を行いつつこれら信号を処理する制御器１２６を備えている。この制御器１２６は、キーボード１３２に加え、公知のビデオディスプレ１３０も備えている。そして、制御器１２６はさらに、上述の機能を達成するための所定の周辺ハードウエアと充分なメモリーを有するコンピュータプロセッサを備えている。
　【００２５】
　本発明は、パターンピースの短時間の生産、及び試作品若しくはサンプルの作製に摘要されると好ましが、さらに、印刷が施された実寸大の縫製用パターンピースの作製にも適している。本発明をこのように摘要する過程で、衣服のスタイル、サイズ、布地の色とデザイン等を特定し、これらの情報に基づき適切に作製されたパターンピースが布地に印刷され、そして裁断、縫製される。また、布地上に直接縫製指示又はパターンピースの認識記号等を印刷することも可能である。なお、上述の説明は衣服の作製に関して述べられているが、椅子、クッションの布張り等の作製にも同様に適用することができる。
　【００２６】
　本発明の範疇を逸脱することなく、種々の変更、修正が可能である。特に、所定の目的を勘案して、プリントデザインと、裁断マーカと、記憶容量に大きく依存する選択されたプロセス及び使用するコンピュータの処理速度と、を適宜組み合わせるべく、他の種々のプロセッサーを用いることも可能である。また、裁断印刷マーカを利用しつつ、印刷及び裁断操作を別のシステムにより行うようにすることも可能である。さらに、裁断を操作者が行うようにしてもよい。したがって、上述の実施例は例示である、本発明はこれに限定されるものではない。
　【００２７】
　【発明の効果】
　本発明によれば、縫製されて衣服等となる布地から裁断される所定形状のパターンピースに、そのパターンピースの形状を規定する境界線に関して所定の様式を保ちつつ所定のプリントデザインを印刷することができる。
【図面の簡単な説明】
　【図１】
　本発明によるパターンピースの印刷及び裁断方法を示すフローチャートである。
　【図２】
　プリントデザインが、パターンピース上の整合点に関して整合される状態を示す図である。
　【図３】
　複数の矩形で構成される区画に包含されるパターンピースを示す図である。
　【図４】
　パターンピースの輪郭の外側の領域を示す部分図である。
　【図５】
　図４に示すパターンピースの輪郭の外側の領域が透明である場合を示す図である。
　【図６】
　本発明による布地印刷裁断装置の斜視図である。
　【符号の説明】
　３０　　マーカ
　４０　１２２　印刷装置
　６２　パターンピース
　６４　プリントデザイン
　１２６　制御器